(57)【要約】【課題】バラツキなく一定の温度で冷却を開始することができるデータ記録ユニットを提供する。【解決手段】データ記録ユニット１２は、インナーカプセル４５と、内部冷却パック４４と、断熱材４１と、を備える。内部冷却パック４４は、インナーカプセル４５の外側に配置されており、水の気化による圧力上昇によって冷却を開始し、水が気化する際の吸熱作用によって冷却を行う。断熱材４１は、内部冷却パック４４の外側に配置される。【選択図】図３
2011149644.tif 000002
【特許請求の範囲】
【請求項１】
収納部と、
前記収納部の外側に配置され、相転移が起こるときの吸熱作用により冷却を行う冷却部と、
前記冷却部の外側に配置される断熱部と、
を備えることを特徴とする収納庫。
【請求項２】
請求項１に記載の収納庫であって、
前記冷却部の外側に配置され、前記冷却部を前記収納部の近傍に保持する保持部を備えることを特徴とする収納庫。
【請求項３】
請求項１又は２に記載の収納庫であって、
前記断熱部の内側に加え、前記断熱部の外側にも前記冷却部が配置されることを特徴とする収納庫。
【請求項４】
請求項１から３までの何れか一項に記載の収納庫であって、
前記冷却部は、内部に冷却材が封入された袋状の容器であり、当該容器の口を閉じた接合部を有することを特徴とする収納庫。
【請求項５】
請求項４に記載の収納庫であって、
前記冷却部の近傍の温度が所定以上になると、前記接合部による接合が外れることを特徴とする収納庫。
【請求項６】
請求項４又は５に記載の収納庫であって、
前記冷却部のうち少なくとも一部は、金属で構成されることを特徴とする収納庫。
【請求項７】
請求項１から６までの何れか一項に記載の収納庫と、
航海データを記憶する記憶装置を備え、
前記記憶装置は、前記収納部に収納されることを特徴とする航海データ記録ユニット。
【請求項８】
請求項７に記載の航海データ記録ユニットであって、
前記収納部は、
収納空間を有する本体部と、
前記本体部の口を塞ぐ蓋部と、
を備え、
外部から入力された航海データを前記記憶装置へ送信するリード線は、前記蓋部に厚み方向に形成された貫通孔を通して前記記憶装置と接続されており、前記貫通孔において前記リード線はガラスで密封されていることを特徴とする航海データ記録ユニット。
【請求項９】
請求項８に記載の航海データ記録ユニットであって、
前記リード線は複数配置されており、
前記蓋部の近傍に前記記憶装置が配置され、前記記憶装置には、それぞれの前記リード線の端部が接続されることを特徴とする航海データ記録ユニット。
【請求項１０】
請求項７から９までの何れか一項に記載の航海データ記録ユニットであって、
外部から入力された航海データに対して変換処理を行うためのデータ変換装置を備え、
前記データ変換装置は、前記断熱部の外側に配置されることを特徴とする航海データ記録ユニット。
【請求項１１】
請求項７から１０までの何れか一項に記載の航海データ記録ユニットと、
舶用機器からの航海データを受信して前記航海データ記録ユニットに送信する航海データ収集ユニットと、
を備えることを特徴とする航海データ記録装置。
【発明の詳細な説明】
【技術分野】
【０００１】
本発明は、主として、内容物を熱から保護するための収納庫に関する。
【背景技術】
【０００２】
従来から、紙類、フィルム類、及び電子機器等の耐熱温度の低い物を、火災等による熱から保護するための収納庫が知られている。特許文献１は、この種の収納庫を開示する。
【０００３】
特許文献１は、不燃液を含浸させた壁材からなる一次庫と、断熱材からなる二次庫と、で構成された耐火収納庫を開示する。また、一次庫と二次庫との間には、耐湿性等を有する部材が配置されている。この構成により、この耐火収納庫は、耐火性、断熱性、及び耐湿性を有しており、内容物を熱等から効果的に保護できる。
【０００４】
また、断熱性が要求される収納庫としては、上記の他にも航海データ記録装置が知られている。航海データ記録装置は、通常の運航時には船舶の運航に関するデータ等を記録し、海難事故が発生した場合には火災等の熱から記録したデータを保護する。また、データを記録する半導体は熱に弱いため、断熱機能に加えて、冷却機能を備えた構成の航海データ記録装置が提案されている。特許文献２は、この種の航海データ記録装置を開示する。
【０００５】
この特許文献２の航海データ記録装置は、航海データを記憶するソリッドステートメモリが配置された保護区画と、ヒートシンクとしての機能を有する熱質量を収容する収容区画と、この２区画を接続可能な通路と、を備えた構成となっている。この通路は、通常は上記２区画を接続しておらず、熱質量は収容区画に流れることができない。
【０００６】
そして、海難事故による火災等が生じることで所定の温度になると、前記通路を塞いでいた可溶性バルブが備える熱ベントプラグが溶けることで通路が開放され、上記２区画が接続される。その後、熱質量が保護区画に移動することで保護区画を冷却することができる。
【先行技術文献】
【特許文献】
【０００７】
【特許文献１】特開平８−２１４９３２号公報
【特許文献２】特許第３８７８０２５号公報
【発明の概要】
【発明が解決しようとする課題】
【０００８】
しかし、特許文献１の構成は、冷却機能を備えていないので、高温から内容物を十分に保護するためには、一次庫及び二次庫の厚みを大きくする必要がある。この場合、外形の寸法に対して内部容積が小さくなってしまう。
【０００９】
また、上記特許文献２の構成は、電気半田等を含んで構成された熱ベントプラグが変相することで上記２区画を接続させる。また、ソリッドステートメモリのような半導体を冷却する場合は、比較的低温（例えば１００℃）で冷却を開始することが望ましい。そのため、特許文献２の構成では、電気半田として低温半田を用いることが想定されるが、この低温半田は変相に時間が掛かることが多く、冷却を開始するタイミングの調整が困難であった。
【００１０】
本発明は以上の事情に鑑みてされたものであり、その目的は、バラツキなく一定の温度で冷却を開始することができる収納庫を提供することにある。
【課題を解決するための手段及び効果】
【００１１】
本発明の第１の観点によれば、以下の構成の収納庫が提供される。即ち、この収納庫は、収納部と、冷却部と、断熱部と、を備える。前記冷却部は、前記収納部の外側に配置され、相転移が起こるときの吸熱作用により冷却を行う。前記断熱部は、前記冷却部の外側に配置される。
【００１２】
これにより、火災等によって断熱部の内部の温度が上昇すると、冷却部に相転移が起こる。そして、相転移が起こるときの温度は、物質及び圧力等に応じて一意に定まるので、バラツキなく一定の温度で冷却を開始することができる。そのため、所望のタイミングで収納部の冷却を開始することができ、収納部に収納された物を効果的に熱から保護することができる。
【００１３】
前記の収納庫においては、前記冷却部の外側に配置され、前記冷却部を前記収納部の近傍に保持する保持部を備えることが好ましい。
【００１４】
これにより、冷却部を収納部の近傍に保持することができるので、収納部に収納された物を効率良く冷却できる。
【００１５】
前記の収納庫においては、前記断熱部の内側に加え、前記断熱部の外側にも前記冷却部が配置されることが好ましい。
【００１６】
これにより、冷却部を二重に備える構成であるため、収納部に収納された物をより効果的に熱から保護することができる。
【００１７】
前記の収納庫においては、前記冷却部は、内部に冷却材が封入された袋状の容器であり、当該容器の口を閉じた接合部を有することが好ましい。
【００１８】
これにより、冷却材が容器から飛び出したり流出したりすることを防止できるため、冷却に適した位置に冷却材を保持できる。また、冷却材が流動性を有する場合は、冷却材が封入された容器を容易に変形させることができるので、収納部の形状等に柔軟に対応して冷却部の配置を行うことができる。
【００１９】
前記の収納庫においては、前記冷却部の近傍の温度が所定以上になると、前記接合部による接合が外れることが好ましい。
【００２０】
これにより、冷却部の近傍の温度が所定以下のときは冷却が行われず、冷却部の近傍の温度が所定以上になると、袋状の冷却部が開口して冷却材が外部に出るため、一気に冷却を開始できる。
【００２１】
前記の収納庫においては、前記冷却部のうち少なくとも一部は、金属で構成されることが好ましい。
【００２２】
これにより、冷却部を丈夫にできるため、冷却材を強固に保護できる。また、冷却材の揮発性が高い場合は、冷却材が外部に漏れることを防止できる。
【００２３】
本発明の第２の観点によれば、以下の構成の航海データ記録ユニットが提供される。即ち、この航海データ記録ユニットは、航海データを記憶する記憶装置を備える。前記記憶装置は、前記収納部に収納される。
【００２４】
即ち、航海データ記録ユニットは、熱に弱い記憶装置を備えているため、火災等の事故が発生したことを的確に検出して迅速に冷却を開始する必要がある。従って、本発明を航海データ記録ユニットに適用すれば、バラツキなく一定の温度で冷却を開始するという前記の効果を一層有効に発揮させることができる。
【００２５】
前記の航海データ記録ユニットにおいては、以下の構成とすることが好ましい。即ち、前記収納部は、本体部と、蓋部と、を備える。前記本体部は、収納空間を有する。前記蓋部は、前記本体部の口を塞ぐ。外部から入力された航海データを前記記憶装置へ送信するリード線は、前記蓋部に厚み方向に形成された貫通孔を通して前記記憶装置と接続されており、前記貫通孔において前記リード線はガラスで密封されている。
【００２６】
これにより、記憶装置を耐水圧構造にすることができる。また、一度の密封作業で信頼性の高い耐水圧構造が実現できるため、作業効率を向上させることができる。
【００２７】
前記の航海データ記録ユニットにおいては、以下の構成とすることが好ましい。即ち、前記リード線は複数配置されている。前記蓋部の近傍に前記記憶装置が配置され、前記記憶装置には、それぞれの前記リード線の端部が接続される。
【００２８】
これにより、リード線の長さを揃えることが容易なので、インピーダンスマッチングがとれ、伝送されるデータの品質低下を防止することができる。
【００２９】
前記の航海データ記録ユニットにおいては、以下の構成とすることが好ましい。即ち、この航海データ記録ユニットは、外部から入力された航海データに対して変換処理を行うためのデータ変換装置を備える。前記データ変換装置は、前記断熱部の外側に配置される。
【００３０】
これにより、データ変換装置の動作によって発生した熱が断熱部の内部に伝わることを防止できる。そのため、データ変換装置の動作熱が記憶装置へ影響を及ぼすことを防止できる。
【００３１】
本発明の第３の観点によれば、航海データ記録装置は、以下の構成とすることが好ましい。即ち、この航海データ記録装置は、前記航海データ記録ユニットと、航海データ収集ユニットと、を備える。前記航海データ収集装置は、舶用機器からの航海データを受信して前記航海データ記録ユニットに送信する。
【００３２】
これにより、航海データを堅牢に保護することが可能な航海データ記録装置を提供することができる。
【図面の簡単な説明】
【００３３】
【図１】本実施形態の航海データ記録装置の構成を示すブロック図。
【図２】データ記録ユニットの外観斜視図。
【図３】データ記録ユニットの内部の構成を概略的に示す正面断面図。
【図４】保持カプセルの形状を示す外観斜視図。
【図５】内部冷却パックとインナーカプセルの様子を示す外観斜視図。
【図６】接合部が剥離する前後の内部冷却パックを示す斜視図。
【図７】インナーカプセルの蓋部の表側の構成を示す斜視図。
【図８】インナーカプセルの蓋部の裏側の構成を示す斜視図。
【図９】リード線が貫通孔にガラスで封着されている様子を示す断面図。
【発明を実施するための形態】
【００３４】
次に、図面を参照して本発明の実施の形態を説明する。図１は本実施形態の航海データ記録装置１０の構成を示すブロック図である。
【００３５】
航海データ記録装置１０は、船舶の運航に関するデータ及び船内において発生した様々な事項を記録することができる。そして、海難事故が発生した場合には、記録されたデータが解析され、事故の原因究明及び再発防止に用いられる。
【００３６】
航海データ記録装置１０は、図１に示すように、データ収集ユニット（航海データ収集ユニット）１１と、データ記録ユニット（収納庫、航海データ記録ユニット）１２と、を備えている。
【００３７】
データ収集ユニット１１は舶用機器１３と電気的に接続されており、この舶用機器１３からは、各種の航海に関するデータがデータ収集ユニット１１に入力される。データ収集ユニット１１にデータ（航海データ）を送信する舶用機器１３の具体例としては、船舶の位置や日時を計測するＧＰＳ装置、船速を計測する船速計、船首方位を計測する各種コンパス、船舶が航行している海上の風向及び風速を検出する風向風速計、水深測定する測深器、ブリッジ内の音声を受信するマイクロフォン、周囲の状況を示すレーダ画像を取得するレーダ装置等を挙げることができる。
【００３８】
このデータ収集ユニット１１は、上記の航海データを取り込む入出力部２１と、取り込んだ航海データの処理を行う信号処理部２２と、を主要な構成として備えている。そして、この収集された航海データは、入出力部２１からデータ記録ユニット１２のデータ変換装置４０へ送信されている。
【００３９】
データ変換装置４０は、受信した航海データを書込及び伝送に適した形式のデータに変換しており、変換したデータをメモリボード（記憶装置）６５へ出力している。このメモリボード６５は、記憶素子としてのメモリ６１と、このメモリ６１が設置される基板６４と、を備えている。
【００４０】
メモリ６１は、所定時間（例えば１３時間）分の航海データを記憶可能であり、その所定時間以前のデータは、最新のデータで随時上書きされる。そして、海難事故等が起きたと判断した場合は、上書きは停止され、海難事故直前の航海データを保持し続ける。なお、このメモリ６１は、海難事故による火災及び水没等にも耐え得るように保護されており、事故後においても回収して航海データの解析を行うことが可能に構成されている。
【００４１】
次に、図２及び図３を参照してデータ記録ユニット１２の構成について詳細に説明する。図２は、データ記録ユニット１２の外観斜視図である。図３はデータ記録ユニット１２の内部の構成を概略的に示す正面断面図である。
【００４２】
データ記録ユニット１２は、図２に示すように、土台３４と、ビーコン３２と、アウターカプセル３０と、から構成されている。
【００４３】
土台３４は、アウターカプセル３０を船舶に固定するためのものであり、アウターカプセル３０の下部に接続されている。土台３４は矩形状に構成されており、その４箇所の角部には、適宜の取付具を用いて船舶に固定するための取付穴３５が形成されている。
【００４４】
ビーコン３２は、音波を放出可能に構成されており、アウターカプセル３０の側面部に取り付けられている。海難事故後にデータ記録ユニット１２が見つからないときは、この音波を頼りにして探し出すことができる。
【００４５】
アウターカプセル３０は、データ記録ユニット１２の主要部品を内部に備えた構成であり、特に、メモリ６１を保護するためのものである。このアウターカプセル３０は、略円柱形状であり、側面部にはデータ収集ユニット１１から航海データを受信可能な丸状ケーブル３１が取り付けられている。データ記録ユニット１２は、アウターカプセル３０に接続された前記丸状ケーブル３１を介して、データ収集ユニット１１が送信した航海データを受信するようになっている。
【００４６】
図３に示すように、この丸状ケーブル３１は前記データ変換装置４０に接続されている。データ変換装置４０は、アウターカプセル３０の内部であってその上部に配置されている。このデータ変換装置４０は、航海データを適宜の形式に変換している。また、データ変換装置４０の近傍には、動作熱及び太陽熱等による温度上昇を防ぐための外部冷却パック（冷却部）３７が壁面に沿うように複数配置されている。
【００４７】
この外部冷却パック３７は、直方体状に構成されており、冷却効果を有する冷却材（冷媒、冷却剤）が封入されている。この冷却材は、通常の温度では固体であり、周囲の温度が上昇することによって融解又は気化（昇華）するように構成されている。この相転移（相変化）が生じたときに周囲から潜熱を奪うことによって、周囲の温度上昇を抑制するようになっている。なお、この外部冷却パック３７の形状は直方体状に限定されず、例えば袋状とすることができる。
【００４８】
また、データ変換装置４０が変換したデータは、適宜のケーブルを通じてアウターカプセル３０の中央部へ出力されている。
【００４９】
アウターカプセル３０の中央部は、外側から順に、断熱材４１と、保持カプセル（保持部）４２と、固定ゴム４９と、内部冷却パック（冷却部）４４と、インナーカプセル（収納部）４５と、により構成されている。
【００５０】
断熱材（断熱部）４１は、保持カプセル４２の外側を囲むように円筒形状に構成されている。この断熱材４１は、微細な多孔構造の物質で構成されており、火災時の熱及び太陽光による熱等から断熱材４１の内部を保護している。
【００５１】
なお、この断熱材４１としては、上記に代えて、ウレタン等の発泡系断熱材や、微細なヒュームドシリカと赤外線を透過させない物質とで構成され、空気分子の運動を規制する構造の断熱材を用いることもできる。更には、表側を鏡面にして放射熱による伝熱を防止し、壁面を外層と内層との二重構造にしてその間に真空を形成することで断熱を実現することもできる。
【００５２】
この断熱材４１の内部には、保持カプセル４２が配置されている。保持カプセル４２は金属製であり、図４に示すように、中空の円柱形状に構成されている。図４は、保持カプセル４２の形状を示す外観斜視図である。また、保持カプセル４２の上面に形成された直方体状の孔を通じて、フラットケーブル４３が保持カプセル４２の内側と外側とを繋いでいる。このフラットケーブル４３の外側の端部は、前記のデータ変換装置４０と接続されており、航海データが伝送されている。
【００５３】
保持カプセル４２の内部には、固定ゴム４９と内部冷却パック４４とが配置されている。固定ゴム４９は、インナーカプセル４５を保持カプセル４２に接しないように、浮かせて固定している。固定ゴム４９は断熱性を有しており、これにより、保持カプセル４２の熱をインナーカプセル４５に伝えにくくしている。
【００５４】
次に、内部冷却パック４４について図５及び図６を参照して説明する。図５は、内部冷却パック４４とインナーカプセル４５の様子を示す外観斜視図である。図６は、接合部４４ａが剥離する前後の内部冷却パックを示す斜視図であり、（ａ）には接合部４４ａが剥離する前の内部冷却パック４４を示し、（ｂ）には接合部４４ａが剥離した後の内部冷却パック４４を示している。
【００５５】
本実施形態において、内部冷却パック４４は、図５のようにインナーカプセル４５の側面を囲むように３つ配置されるほか、図５には図示しないが上面及び底面に１つずつ配置されている。ただし、内部冷却パック４４の個数及び配置は任意であり、また、内部冷却パック４４の容量も適宜設定することができる。この内部冷却パック４４の個数、配置、及び容量は、航海データ記録装置に要求される仕様等（何℃の温度で何時間耐え得るか等の仕様）に基づいて、所定の熱計算を行うことで決定されている。
【００５６】
内部冷却パック４４には、冷却材（冷媒、冷却剤）としての水が封入されている。この内部冷却パック４４は、シート状の物質（以下では、シート材と称する）が、所定の２箇所（接合部４４ａ）で接合されることで袋状に構成されている。
【００５７】
このシート材は、薄膜状の金属（例えばアルミニウム）を２枚のシート状の樹脂（例えば塩化ビニル）で挟み込むようにして構成されている。シート材に金属が含まれることで、内部冷却パック４４の内部の水が蒸発して流出することを防止している。また、金属の表面が樹脂によって覆われた構成とすることで、金属の腐食を防止し、これによりシート材の耐久性が高められている。
【００５８】
接合部４４ａは、内部冷却パック４４の近傍の温度が所定値を超えると、内部冷却パック４４内の水が気化して圧力が上昇するため、当該接合部４４ａが剥離する（図６（ｂ）参照）。なお、接合部４４ａが剥離を始める温度は、内部冷却パック４４内の水の容量、及び接合部４４ａの構成（接合部４４ａの接合面積を大きくする等）によって調整することができる。
【００５９】
そして、船舶で火災等が発生すると、その影響による熱がデータ記録ユニット１２内に伝達し、内部冷却パック４４の近傍の温度が上昇する。そして、温度が前述の所定値を超えると、接合部４４ａが剥離して水がインナーカプセル４５の周囲に流出する。このとき、水の温度は１００℃又はそれに近い温度になっており、インナーカプセル４５の周囲の温度はそれよりも高くなっている。そのため、水は次々と気化していく。水が気化するためには、気化熱（潜熱）が必要であり、水はこの気化熱を吸収するため、インナーカプセル４５は冷却される。
【００６０】
次に、インナーカプセル４５について図５、図７及び図８を参照して説明する。図７はインナーカプセル４５の蓋部４６の表側の構成を示す斜視図であり、図８はインナーカプセル４５の蓋部４６の裏側の構成を示す斜視図である。
【００６１】
図５に示すように、インナーカプセル４５は外観が円柱となる形状に構成されている。このインナーカプセル４５は、厚手の金属系材料で構成されており、図の上部に位置する蓋部４６と、図の下部に位置する本体部４７と、で構成されている。この蓋部４６と本体部４７とは、蓋部４６に形成されたネジ穴５７にネジ５６をネジ止めすることで固定されている。
【００６２】
図５及び図７に示すように、蓋部４６はコネクタ装置５１を備えている。コネクタ装置５１は、蓋部４６の表側に、樹脂製の表側用スペーサ５２を介して表側用ネジ５０によって接続されている。また、コネクタ装置５１の周囲は、図５に示すように、防水及び防湿のためにエポキシ樹脂４８で固められている。このコネクタ装置５１は、フラットケーブル４３を接続可能なデータ伝達端子５３を備えており、航海データを受信している。
【００６３】
また、コネクタ装置５１は、リード線５４を複数備えている。このリード線５４は、図８に示すように蓋部４６に形成された貫通孔５５を通して蓋部４６の裏側の基板６４に接続されている。このように貫通孔５５を通して直接的にリード線５４を配置することで、容易にリード線５４の長さを揃えることができる。
【００６４】
この貫通孔５５は、コネクタ装置５１と基板６４（メモリボード６５）とを電気的に接続するためのリード線５４を内部に保持するようにして、図９に示すようにガラス５９で封着されている。図９はリード線５４が貫通孔５５にガラス５９で封着されている様子を示す断面図である。
【００６５】
この封着方法としては、例えば、以下の方法を用いることができる。即ち、初めに粉末ガラスをプレス成形によって固めて中空円筒状の粉末ガラスを成形する。次に成形した粉末ガラスを貫通孔５５に挿入する。そして、１０００℃程度まで加熱することで粉末ガラスが溶解し貫通孔５５が封着される。このようにリード線を取り付けることで、メモリ６１に水が侵入することを防止した構成になっている。
【００６６】
コネクタ装置５１と基板６４は、リード線５４の端部に半田付けすることで接続されている。これにより、メモリ６１側に航海データを伝送することができる。また、基板６４は、コネクタ装置５１と同様に、樹脂製の裏側用スペーサ６２を介して裏側用ネジ６０を用いて蓋部４６の裏側に取り付けられている。
【００６７】
また、基板６４はデータ取出端子６３を備えており、この端子に所定の規格のケーブル等を接続することで、基板６４に設置されているメモリ６１が記憶した航海データを読み出して取得することができる。なお、蓋部４６の裏側にはＯリング５８が配置されており、蓋部４６と本体部４７の隙間から水が侵入しにくくなっている。
【００６８】
このように、アウターカプセル３０においては、断熱材４１による耐熱構造、冷却パックによる冷却構造及びインナーカプセル４５による耐水圧構造が実現されている。そのため、メモリ６１を海難事故の影響から保護することができる。
【００６９】
以上に説明したように、本実施形態のデータ記録ユニット１２は、インナーカプセル４５と、内部冷却パック４４と、断熱材４１と、を備える。内部冷却パック４４は、インナーカプセル４５の外側に配置され、水が気化する際の吸熱作用により冷却を行う。断熱材４１は、内部冷却パック４４の外側に配置される。
【００７０】
これにより、海難事故から生じた火災等によって断熱材４１の内部の温度が上昇すると、内部冷却パック４４内の水に相転移が起こる。そして、相転移が起こるときの温度は、一意に定まるので、バラツキなく一定の温度で冷却を開始することができる。そのため、所望のタイミングでインナーカプセル４５の冷却を開始することができ、メモリボード６５（半導体であるメモリ６１）の温度が上昇することを防止できる。
【００７１】
また、本実施形態のデータ記録ユニット１２は、内部冷却パック４４の外側に配置され、内部冷却パック４４をインナーカプセル４５の近傍に保持する保持カプセル４２を備える。
【００７２】
これにより、内部冷却パック４４をインナーカプセル４５の近傍に保持することができるので、インナーカプセル４５に収納された物を効率良く冷却できる。
【００７３】
また、本実施形態のデータ記録ユニット１２は、断熱材４１の内側に配置された内部冷却パック４４と、断熱材４１の外側に配置された外部冷却パック３７と、が配置される。
【００７４】
これにより、内部冷却パック４４を備えているため、インナーカプセル４５内のメモリボード６５を火災による熱から保護できる。また、外部冷却パック３７を備えているため、太陽熱等によってデータ記録ユニット１２内の温度が上昇することを抑制できる。更に、外部冷却パック３７はデータ変換装置４０の近傍に配置されているため、データ変換装置４０の動作熱による温度上昇も抑制できる。
【００７５】
また、本実施形態のデータ記録ユニット１２において、内部冷却パック４４は、内部に水が封入された袋状の容器であり、当該容器の口を閉じた接合部４４ａを有する。
【００７６】
これにより、水が封入された内部冷却パック４４を容易に変形させることができるので、インナーカプセル４５の形状等に柔軟に対応して内部冷却パック４４の配置を行うことができる。
【００７７】
また、本実施形態のデータ記録ユニット１２は、内部冷却パック４４の近傍の温度が所定以上になると、接合部４４ａによる接合が剥離する。
【００７８】
これにより、内部冷却パック４４の近傍の温度が所定以下のときは冷却が行われず、内部冷却パック４４の近傍の温度が所定以上になると、水が外部に出るため、一気に冷却を開始できる。
【００７９】
また、本実施形態のデータ記録ユニット１２において、内部冷却パック４４のうち少なくとも一部は金属で構成される。
【００８０】
これにより、内部冷却パック４４を丈夫にできるため、内部冷却パック４４が破損して水が漏れることを防止できる。また、内部冷却パック４４の気体透過性を抑えることができるため、内部冷却パック４４内の水蒸気が外部に漏れることを防止できる。
【００８１】
また、本実施形態のデータ記録ユニット１２は、航海データを記憶するメモリボード６５を備える。メモリボード６５は、インナーカプセル４５に収納される。
【００８２】
即ち、データ記録ユニット１２は、熱に弱いメモリボード６５を備えているため、火災等の事故が発生したことを的確に検出して迅速に冷却を開始する必要がある。そのため、本実施形態の冷却方法を適用することが特に好適である。
【００８３】
また、本実施形態のデータ記録ユニット１２において、インナーカプセル４５は、本体部４７と、蓋部４６と、を備える。本体部４７は、収納空間を有する。蓋部４６は、本体部４７の口を塞ぐ。そして、外部から入力された航海データをメモリボード６５へ送信するリード線５４は、蓋部４６に厚み方向に形成された貫通孔５５を通してメモリボード６５と接続されており、貫通孔５５においてリード線５４はガラス５９で密封されている。
【００８４】
これにより、メモリ６１を耐水圧構造にすることができる。また、一度の密封作業で信頼性の高い耐水圧構造が実現できるため、作業効率を向上させることができる。
【００８５】
また、本実施形態のデータ記録ユニット１２において、リード線は複数配置されている。蓋部４６の近傍にメモリボード６５が配置され、メモリボード６５には、それぞれのリード線の端部が接続される。
【００８６】
これにより、リード線の長さを揃えることが容易なので、インピーダンスマッチングがとれ、伝送されるデータの品質低下を防止することができる。
【００８７】
また、本実施形態のデータ記録ユニット１２は、外部から入力された航海データに対して変換処理を行うためのデータ変換装置４０を備える。データ変換装置４０は、断熱材４１の外側に配置される。
【００８８】
これにより、データ変換装置４０の動作によって発生した熱が断熱材４１の内部に伝わることを防止できる。そのため、データ変換装置４０の動作熱がメモリボード６５へ影響を及ぼすことを防止できる。
【００８９】
また、本実施形態の航海データ記録装置１０は、データ記録ユニット１２と、データ収集ユニット１１と、を備える。データ収集ユニット１１は、舶用機器１３からの航海データを受信してデータ記録ユニット１２に送信する。
【００９０】
これにより、航海データを堅牢に保護することが可能な航海データ記録装置１０を提供することができる。
【００９１】
以上に本発明の好適な実施の形態を説明したが、上記の構成は例えば以下のように変更することができる。
【００９２】
保持カプセル４２の形状及び材質は任意であり、中空の円柱形状に限られない。例えば、直方体や球体にすることができる。
【００９３】
外部冷却パック３７及び内部冷却パック４４に封入される冷却材は、固体、液体、及び、ゲル状のうち何れの状態にしても良く、その内容物も様々な物質を用いて良い。また、内容物を変更することで、内容物の物性の違いにより、冷却を開始する温度を調整することができる。
【００９４】
内部冷却パック４４には、接合部４４ａが２箇所に形成されているが、接合部４４ａが形成される数及び位置はこれに限定されず、少なくとも１箇所に形成されていれば良い。例えば、内部冷却パック４４の端部の全て（周囲）が接合部４４ａとして形成されていても良い。
【００９５】
上記実施形態では、水の沸点を超えたときに内部冷却パック４４が開口して水が流出する構成であるが、内部冷却パック４４を二重構造にして水の流出を防止した構成にすることもできる。
【００９６】
インナーカプセル４５の形状及び材質は任意であり、その外観は円柱形状に限られない。例えば、直方体や球体にすることができる。また、要求される仕様に耐え得る構造であれば、材質等も限定されない。
【００９７】
本実施形態では、収納庫をデータ記録ユニットに適用する例を示したが、この他にも、耐熱金庫等にも本発明を適用することができる。
【符号の説明】
【００９８】
１０  航海データ記録装置
１１  データ収集ユニット（航海データ収集ユニット）
１２  データ記録ユニット（収納庫、航海データ記録ユニット）
３７  外部冷却パック（冷却部）
４０  データ変換装置
４１  断熱材（断熱部）
４２  保持カプセル（保持部）
４４  内部冷却パック（冷却部）
４５  インナーカプセル（収納部）
４６  蓋部
４７  本体部
６１  メモリ
６４  基板
６５  メモリボード（記憶装置）
【図１】
2011149644.tif 000003
【図２】
2011149644.tif 000004
【図３】
2011149644.tif 000005
【図４】
2011149644.tif 000006
【図５】
2011149644.tif 000007
【図６】
2011149644.tif 000008
【図７】
2011149644.tif 000009
【図８】
2011149644.tif 000010
【図９】
2011149644.tif 000011